(57)【特許請求の範囲】
【請求項１】
媒体を搬送路に沿って搬送する送りローラーと、
前記搬送路に対して開閉可能に設けられた上部ユニットと、
前記搬送路が設けられた下部ユニットと、
前記下部ユニットに収容された状態と、前記下部ユニットから引き出されて前記搬送路から排出された前記媒体を載置する状態とを取り得る排出トレイと、
搬送方向下流にある排出部に設けられ、前記送りローラーにより搬送される前記媒体を除電する除電部材と、
を備え、
前記除電部材は、
前記媒体を除電する使用状態と、前記搬送路から退避することにより非使用状態となる退避状態と、を切り換え可能であり、
前記退避状態において、前記上部ユニット内に収容され、
前記搬送路で前記媒体の詰まりが生じた場合、前記使用状態から前記退避状態に切り換わり、
前記排出トレイが前記下部ユニットから引き出された場合、前記退避状態から前記使用状態に切り換わり、前記排出トレイが前記下部ユニットに収容された場合、前記使用状態から前記退避状態に切り換わる、
ことを特徴とする媒体搬送装置。
【請求項２】
請求項１に記載の媒体搬送装置において、前記除電部材は、直線的に変位することによって、前記媒体の面から遠ざかり、前記使用状態から前記退避状態に切り換わる、
ことを特徴とする媒体搬送装置。
【請求項３】
請求項１に記載の媒体搬送装置において、前記除電部材は、回転させることによって、前記媒体の面から遠ざかり、前記使用状態から前記退避状態に切り換わる、
ことを特徴とする媒体搬送装置。
【請求項４】
請求項１から請求項３のいずれか一項に記載の媒体搬送装置において、前記除電部材は、装置の待機状態では前記退避状態をとり、
前記媒体の搬送動作が開始された後、少なくとも１枚目の前記媒体が前記除電部材の位置に到達する前に、前記退避状態から前記使用状態に切り換わる、
ことを特徴とする媒体搬送装置。
【請求項５】
請求項１から請求項４のいずれか一項に記載の媒体搬送装置において、前記除電部材の状態切り換えを行う切換手段は、前記除電部材が取り付けられる取付部と、
前記取付部を前記使用状態または前記退避状態の少なくともいずれかの方向に付勢する付勢手段と、
前記取付部と係合するカム部材と、を備え、
前記切換手段は、前記カム部材を動作させることにより、前記除電部材の前記使用状態と前記退避状態とを切り換える、
ことを特徴とする媒体搬送装置。
【請求項６】
請求項１から請求項４のいずれか一項に記載の媒体搬送装置において、前記除電部材の状態切り換えを行う切換手段は、前記除電部材が取り付けられる取付部と、
前記取付部に設けられたラックと噛合してラックピニオン機構を構成するピニオンと、
を備える、
ことを特徴とする媒体搬送装置。
【請求項７】
請求項１から請求項６のいずれか一項に記載の媒体搬送装置と、
前記搬送路に沿って搬送される前記媒体を読取可能な画像読取手段と、
を備える、
ことを特徴とする画像読取装置。
【発明の詳細な説明】
【技術分野】
【０００１】
本発明は、媒体を搬送する媒体搬送装置、並びにこれを備えた画像読取装置に関する。
【背景技術】
【０００２】
従来、媒体の面を読み取る画像読取装置、いわゆるスキャナーには、媒体を搬送経路に沿って搬送し、装置内に設けられた画像読取部で媒体の少なくとも一方の面を読み取るシートフィードスキャナーと呼ばれるものがある。
【０００３】
このシートフィードスキャナーでは、送りローラーにより前記媒体を前記搬送路に沿って画像読取手段まで搬送し、該画像読取手段により前記媒体の面を読み取る。前記媒体が前記送りローラーにより搬送方向下流側に搬送される際、前記媒体と前記送りローラーとの間には摩擦力が生じている。この摩擦力により前記媒体には静電気が生じる。そして、前記媒体は帯電した状態となる。
【０００４】
また、前記媒体は前記搬送路に沿って搬送される際、該搬送路の一部と接触することにより前記媒体と前記搬送路との間にも摩擦力が生じる。そして、この摩擦力によっても前記媒体には静電気が生じ、帯電させられる。
【０００５】
帯電した状態で前記媒体が搬送されると、前記搬送路の一部に前記媒体が貼り付き、前記媒体の搬送が阻害される虞がある。また、前記帯電した媒体が排紙トレイに排出されると、排出された媒体の一部が丸まり、前記排紙トレイにおける前記媒体の積載状態が乱れ、その結果、搬送路における紙詰まりの要因となる虞がある。
【０００６】
そこで、これらの問題に対して、除電ブラシ（除電部材）を画像形成装置のシート搬送路の排出口に設けたものがある（特許文献１参照）。
【先行技術文献】
【特許文献】
【０００７】
【特許文献１】特開２００７−１２１７１６１号公報
【発明の概要】
【発明が解決しようとする課題】
【０００８】
特許文献１に記載の除電ブラシは、シート搬送路の排出口において該シート搬送路を形成する上面部材に形成された垂直部に両面粘着テープを介して貼り付けられている。すなわち、前記除電ブラシは、前記シート搬送路に対して固定されている。その結果、前記除電ブラシは前記シート搬送路の排出口周辺において、装置の使用状態及び非使用状態に関わらず、前記シート搬送路に対して露呈した状態にある。
【０００９】
これにより、ユーザーが前記シート搬送路を搬送されてきた媒体を取る際や、前記装置を持ち運ぶ際に、前記シート搬送路の前記排出口付近に手を入れた際に前記除電ブラシに触れてしまう虞があった。そして、ユーザーが前記除電ブラシに触れてしまうことにより、前記除電ブラシの毛先が損傷し、除電性能が低下し、前記媒体の除電が充分に行えない虞がある。
【００１０】
本発明は、上記問題点に鑑みてなされたもので、除電部材の損傷を低減できる媒体搬送装置を提供することを目的とする。
【課題を解決するための手段】
【００１１】
上記課題を達成するため、本発明の第１の態様の媒体搬送装置は、媒体を搬送路に沿って搬送する送りローラーと、前記送りローラーにより搬送される媒体を除電する除電部材と、を備え、前記除電部材が、前記媒体を除電する使用状態と、前記搬送路から退避することによって非使用状態となる退避状態と、を切り換え可能であることを特徴とする。
【００１２】
尚、本態様において「除電する」とは、帯電した媒体の電荷を媒体から完全に除去するものだけでなく、媒体の電荷の少なくとも一部を除電し、媒体の電位を下げることも含まれている。また、本態様における「前記除電部材の非使用状態」とは、前記除電部材が前記媒体を完全に除電できない状態だけでなく、前記除電部材の使用状態に比べて除電性能は劣るものの前記除電部材が前記媒体を除電できる状態も含んでいる。
【００１３】
本態様によれば、前記除電部材が前記退避状態を取った場合、前記除電部材は前記搬送路から退避しているので、ユーザーが前記搬送路内に手を差し入れても、ユーザーの手が前記除電部材に触れる虞を低減でき、或いは、ユーザーの手が前記除電部材に触れたとしても前記除電部材の損傷を抑制できる。
【００１４】
本発明の第２の態様の媒体搬送装置は、第１の態様において、前記除電部材は、直線的に変位することによって、前記媒体の面から遠ざかり、前記使用状態から前記退避状態に切り換わることを特徴とする。
【００１５】
本態様によれば、前記除電部材は直線的に変位することによって、前記媒体の面から遠ざかり、前記使用状態から前記退避状態に切り換わる。すなわち、前記退避状態において前記除電部材は前記媒体の面から遠ざかっている状態なので、ユーザーが誤って前記除電部材に触れる虞をより確実に低減でき、或いは、ユーザーの手が前記除電部材に触れることによる前記除電部材の損傷をより確実に抑制できる。
【００１６】
本発明の第３の態様の媒体搬送装置は、第１の態様において、前記除電部材は、回転させることによって、前記媒体の面から遠ざかり、前記使用状態から前記退避状態に切り換わることを特徴とする。
【００１７】
本態様によれば、前記除電部材は回転させることによって、前記媒体の面から遠ざかり、前記使用状態から前記退避状態に切り換わる。つまり、前記除電部材は前記媒体の面から遠ざかっている状態なので、ユーザーが前記搬送路に手を差し入れた際、ユーザーが誤って前記除電部材に触れたとしても前記除電部材に掛かる負荷を小さくでき、前記除電部材が損傷する虞を低減できる。
【００１８】
本発明の第４の態様の媒体搬送装置は、第１から第３のいずれか一の態様において、前記除電部材は、装置の待機状態では前記退避状態をとり、媒体の搬送動作が開始された後、少なくとも１枚目の媒体が前記除電部材の位置に到達する前に、前記退避状態から前記使用状態に切り換わることを特徴とする。
【００１９】
本態様によれば、前記除電部材は装置の待機状態では前記退避状態を取り、媒体の搬送動作開始後、少なくとも１枚目の媒体が前記除電部材の位置に到達する前に前記退避状態から前記使用状態に切り換わるので、前記除電部材は必要なタイミングで除電効果を発揮できる。そしてユーザーが前記除電部材に触れる虞の高い前記待機状態では前記退避状態をとるので、ユーザーが誤って前記除電部材に触れる虞を低減でき、或いは、ユーザーの手が前記除電部材に触れることによる前記除電部材の損傷を抑制できる。
【００２０】
本発明の第５の態様の媒体搬送装置は、第１から第４のいずれか一の態様において、前記除電部材の状態切り換えを行う切換手段は、前記除電部材が取り付けられる取付部と、前記取付部を前記使用状態または前記退避状態の少なくともいずれかの方向に付勢する付勢手段と、前記取付部と係合するカム部材と、を備え、前記切換手段は、前記カム部材を動作させることにより、前記除電部材の前記使用状態と前記退避状態とを切り換えることを特徴とする。
【００２１】
本態様によれば、カム部材の動作に応じて前記除電部材の前記使用状態と前記退避状態との切換が行われるので、前記除電部材の切換のタイミング制御を容易にできる。
【００２２】
本発明の第６の態様の媒体搬送装置は、第１から第４のいずれか一の態様において、前記除電部材の状態切り換えを行う切換手段は、前記除電部材が取り付けられる取付部と、前記取付部に設けられたラックと噛合してラックピニオン機構を構成するピニオンとを備えることを特徴とする。
【００２３】
本態様によれば、前記切換手段はラックピニオン機構により前記除電部材の使用状態と退避状態とを切換えられるので、前記切換手段の構成を簡素化できる。
【００２４】
本発明の第７の態様の媒体搬送装置は、第１から第６のいずれか一の態様において、前記搬送路が設けられた装置本体と、前記装置本体内に収容された状態と、前記装置本体から引き出されて前記装置本体から排出された媒体を載置する状態とを取り得る排出トレイと、を備え、前記除電部材は、前記排出トレイが前記装置本体内から引き出された場合、前記退避状態から前記使用状態に切り換わり、前記排出トレイが前記装置本体内に収容された場合、前記使用状態から前記退避状態に切り換わることを特徴とする。
【００２５】
本態様によれば、ユーザーが前記排出トレイを装置本体に対して出し入れする動作に応じて前記除電部材の状態が切り換わる。つまり、ユーザーが装置を使用する場面に対応して前記除電部材が使用状態となるので、前記媒体搬送装置の利便性が向上する。
【００２６】
本発明の第８の態様の媒体搬送装置は、第１から第６のいずれか一の態様において、前記搬送路が設けられた装置本体と、前記装置本体に対して閉じた姿勢と、前記装置本体に対して開いて媒体を載置可能な姿勢とを切換可能な開閉体と、を備え、前記除電部材は、前記開閉体を前記装置本体に対して閉じた姿勢から開いた姿勢に切換えた場合、前記退避状態から前記使用状態に切り換わり、前記開閉体を前記装置本体に対して開いた姿勢から閉じた姿勢に切換えた場合、前記使用状態から前記退避状態に切り換わることを特徴とする。
【００２７】
本態様によれば、ユーザーが前記開閉体を装置本体に対して開閉する動作に応じて前記除電部材の状態が切り換わる。つまり、ユーザーが装置を使用する場面に対応して前記除電部材が使用状態となるので、前記媒体搬送装置の利便性が向上する。
【００２８】
本発明の第９の態様の画像読取装置は、第１から第８のいずれか一の態様における媒体搬送装置と、前記搬送路に沿って搬送される媒体を読取可能な画像読取手段とを備えることを特徴とする。
【図面の簡単な説明】
【００２９】
【図１】本発明に係る画像読取装置の非給送状態における外観斜視図。
【図２】本発明に係る画像読取装置の給送可能状態における外観斜視図。
【図３】本発明に係る画像読取装置の媒体の搬送路を示す側断面図。
【図４】本発明に係る画像読取装置における排出口周辺を示す斜視図。
【図５】第１の実施例における除電部材の使用状態を示す側断面図。
【図６】第１の実施例における除電部材の斜視図。
【図７】第１の実施例における除電部材の退避状態を示す側断面図。
【図８】第１の実施例における除電部材の状態切換のタイミングを説明するフローチャート。
【図９】（Ａ）は第２の実施例に係る除電部材の使用状態を示す側断面図であり、（Ｂ）は除電部材の退避状態を示す側断面図。
【図１０】第３の実施例に係る除電部材の使用状態と退避状態を示す側断面図。
【発明を実施するための形態】
【００３０】
以下、本発明の実施の形態を図面に基づいて説明する。尚、各実施例において同一の構成については、同一の符号を付し、最初の実施例においてのみ説明し、以後の実施例においてはその構成の説明を省略する。
【００３１】
図１は本発明に係る画像読取装置の非給送状態における外観斜視図であり、図２は本発明に係る画像読取装置の給送可能状態における外観斜視図であり、図３は本発明に係る画像読取装置の媒体の搬送路を示す側断面図であり、図４は本発明に係る画像読取装置における排出口周辺を示す斜視図であり、図５は第１の実施例における除電部材の使用状態を示す側断面図である。
【００３２】
また、図６は第１の実施例における除電部材の斜視図であり、図７は第１の実施例における除電部材の退避状態を示す側断面図であり、図８は第１の実施例における除電部材の状態切換のタイミングを説明するフローチャートであり、図９（Ａ）は第２の実施例に係る除電部材の使用状態を示す側断面図であり、図９（Ｂ）は除電部材の退避状態を示す側断面図であり、図１０は第３の実施例に係る除電部材の使用状態と退避状態を示す側断面図である。
【００３３】
また、各図において示すＸ−Ｙ−Ｚ座標系はＸ方向が装置幅方向であるとともに用紙幅方向、Ｙ方向が画像読取装置における用紙搬送方向、Ｚ方向がＹ方向と直交する方向であり、概ね搬送される用紙の面と直交する方向を示している。尚、各図において−Ｙ方向側を装置前面側とし、＋Ｙ方向側を装置背面側とする。
【００３４】
■■■第１の実施例■■■■
＜＜＜画像読取装置の概要＞＞＞
図１ないし図３を参照して「媒体搬送装置」の一例である画像読取装置１０について説明する。本実施例において画像読取装置１０は、「媒体」としての用紙Ｐの表面及び裏面の少なくとも一面を読み取り可能なドキュメントスキャナーとして構成されている。画像読取装置１０は、下部ユニット１２と、上部ユニット１４と、「開閉体」としてのカバー部１６と、排出トレイ１８とを備えている。尚、本実施例では下部ユニット１２と上部ユニット１４とは装置本体１５（図３参照）を構成している。
【００３５】
上部ユニット１４は下部ユニット１２に対して用紙搬送方向下流側を回動支点として回動可能に下部ユニット１２に取り付けられている。上部ユニット１４は、下部ユニット１２に対して閉じて下部ユニット１２とともに用紙Ｐの搬送路２６を構成する閉状態（図２参照）と、下部ユニット１２に対して装置前面側（図２における反時計回り方向）に回動して用紙Ｐの搬送路２６を露呈させて用紙Ｐの紙詰まりの処理を容易に行うことができる開状態（不図示）とを取り得る。
【００３６】
下部ユニット１２の背面側の上部にはカバー部１６が設けられている。カバー部１６は、下部ユニット１２に対して回動可能に下部ユニット１２に取り付けられている。カバー部１６は、図１に示すように上部ユニット１４の上部及び給送口２０（図２及び図３参照）を覆う非給送状態と、図２に示すように非給送状態から装置背面側に回動し、給送口２０を開放するとともにカバー部１６の裏面１６ａが用紙Ｐの載置部２２を構成する給送状態とを取り得る。
【００３７】
また、カバー部１６を非給送状態から給送状態へと変化させると上部ユニット１４の上部に設けられた操作部２３が露呈する。ユーザーが操作部２３を操作することにより、画像読取装置１０における用紙Ｐの給送、画像読取動作が実行される。本実施例において、操作部２３には、一例として画像読取装置１０の電源をオン状態またはオフ状態に切り換える電源ボタン、載置部２２に載置された用紙Ｐの給送及び画像読取動作を開始する給送開始ボタン等が設けられている。
【００３８】
また、下部ユニット１２の装置前面側には用紙Ｐを排出する排出口２４が設けられている。また、下部ユニット１２は、排出口２４から装置前方側に向けて引き出し可能な排出トレイ１８を備えている。排出トレイ１８は、下部ユニット１２の底部に収納された状態（図１参照）と、装置前面側に引き出された状態（図２参照）とを取り得る。また、本実施例において排出トレイ１８は複数のトレイ部材を連結して構成されており、排出される用紙Ｐの長さに応じて、排出口２４からの引き出し長さを調整可能である。
【００３９】
＜＜＜画像読取装置における搬送路について＞＞＞
次いで、図３を参照して、画像読取装置１０における用紙Ｐの搬送路２６について説明する。下部ユニット１２に対して装置背面側に回動した姿勢にあるカバー部１６の裏面１６ａに設けられた載置部２２に用紙Ｐが載置される。載置部２２に載置された用紙Ｐは、下部ユニット１２に対して回転可能に設けられた「送りローラー」としての第１給送ローラー２８により給送方向下流側に給送される。尚、図示しないが第１給送ローラー２８が設けられた位置には用紙戻しレバーが設けられ、用紙Ｐの重送を防止している。
【００４０】
また、本実施例において第１給送ローラー２８の給送方向下流側には、重送検出センサー２９が設けられている。本実施例において重送検出センサー２９は、スピーカー部とマイク部を備える超音波センサーとして構成されている。また、重送検出センサー２９は、スピーカー部から搬送路２６を通る用紙Ｐに向けて超音波を発振し、用紙Ｐからの反射音をマイク部で検出するように構成されている。本実施例において重送検出センサー２９は、反射音の周波数により用紙Ｐの重送を検知するだけでなく、厚紙等の紙種も検出可能に構成されている。また、本実施例において重送検出センサー２９は、用紙Ｐからの反射音の有無により、用紙Ｐの先端が通過したこと、及び用紙Ｐの後端が通過したことを検出可能に構成されている。尚、図３における黒三角マークは、重送検出センサー２９を模式的に示している。
【００４１】
また、重送検出センサー２９の下流側には、下部ユニット１２に「送りローラー」としての第２給送ローラー３０が回転可能に設けられ、上部ユニット１４に分離ローラー３２が回転可能に設けられている。尚、本実施例において分離ローラー３２には所定の回転抵抗が与えられている。そして、第１給送ローラー２８により給送された複数の用紙Ｐは、分離ローラー３２により分離され、第２給送ローラー３０と接している用紙Ｐのみが第２給送ローラー３０と分離ローラー３２とにニップされて給送方向下流側に給送される。
【００４２】
第２給送ローラー３０の給送方向下流側には搬送ローラー対３４、「画像読取手段」としての画像読取部３６及び排出ローラー対３８が設けられている。第２給送ローラー３０及び分離ローラー３２によりニップされて給送方向下流側に給送された用紙Ｐは搬送ローラー対３４にニップされて、搬送ローラー対３４の下流側に位置する画像読取部３６に搬送される。
【００４３】
尚、搬送ローラー対３４は下部ユニット１２に設けられた搬送駆動ローラー３４ａと、上部ユニット１４に設けられ、搬送駆動ローラー３４ａに対して従動回転する搬送従動ローラー３４ｂを備えている。
【００４４】
ここで、画像読取部３６は、上部ユニット１４側に設けられた上部読み取りユニット４０と、下部ユニット１２側に設けられた下部読み取りユニット４２とを備えている。本実施例において、上部読み取りユニット４０及び下部読み取りユニット４２は「読み取りユニット」として構成され、一例として密着型イメージセンサーモジュール（ＣＩＳＭ）として構成されている。
【００４５】
用紙Ｐは、画像読取部３６において用紙Ｐの表面及び裏面の少なくとも一方の面の画像を読み取られた後、画像読取部３６の搬送方向下流側に位置する排出ローラー対３８にニップされて排出口２４から排出トレイ１８に向けて排出される。尚、用紙Ｐは排出口２４から排出トレイ１８に向けて排出される際、排出口２４周辺に設けられた除電部材４４と接触し、あるいは近接する。これにより後述するが帯電状態の用紙Ｐは除電部材４４により除電される。
【００４６】
また、本実施例において排出ローラー対３８は下部ユニット１２に設けられた排出駆動ローラー３８ａと、上部ユニット１４に設けられ、排出駆動ローラー３８ａに対して従動回転する排出従動ローラー３８ｂを備えている。
【００４７】
また、本実施例において第１給送ローラー２８、第２給送ローラー３０、搬送駆動ローラー３４ａ及び排出駆動ローラー３８ａは、下部ユニット１２内に設けられた少なくとも１つの駆動源（不図示）により回転駆動させられる。
【００４８】
また、本実施例において下部ユニット１２内には制御部４６が設けられている。本実施例において制御部４６は、複数の電子部品を備える電気回路として構成されている。制御部４６は、上部読み取りユニット４０、下部読み取りユニット４２及び前記駆動源を制御している。また、本実施例において制御部４６は、重送検出センサー２９からの検出信号を受信して用紙Ｐの搬送動作を制御する。
【００４９】
また、制御部４６は、ユーザーの操作部２３の操作、具体的には給紙開始ボタンを押すなどの操作に基づいて画像読取装置１０における用紙Ｐの搬送及び画像読取動作を制御するように構成されている。また、制御部４６は外部（ＰＣなど）からの指示で画像読取装置１０における原稿読取動作の実行に必要な動作を制御してもよい。
【００５０】
＜＜＜除電部材及び切換手段について＞＞＞
次いで、図４ないし図７を参照して除電部材４４及び切換手段４８について説明する。  
図４に示すように、本実施例において画像読取装置１０の排出口２４には、除電部材４４が取り付けられている。本実施例において除電部材４４は、画像読取装置１０の排出口２４において装置幅方向に延設されている。具体的には、除電部材４４は、排出口２４において搬送されてきた用紙Ｐと対向するように配置されている。そして、除電部材４４は装置幅方向において少なくとも用紙Ｐの搬送領域、すなわち用紙Ｐの幅に対応する長さに設定されている。
【００５１】
また、図５に示すように画像読取装置１０において排出ローラー対３８の下流側には切換手段４８が設けられている。本実施例において切換手段４８は、取付部５０と、カム部材５２と、付勢手段５４とを備えている。本実施例において取付部５０には、除電部材４４が取り付けられている。
【００５２】
ここで、図６を参照するに、除電部材４４は、板金部材５６と、導電シート部材５８と、ブラシ６０とを備えている。本実施例において板金部材５６は、装置幅方向に延びる平板状の金属部材として構成されている。また、導電シート部材５８には、ブラシ６０が取り付けられている。本実施例においてブラシ６０は、間隔をおいて配置された複数の毛束を有し、各毛束は所定の毛束密度に設定されている。本実施例においてブラシ６０は、ＳＵＳ材により構成されている。
【００５３】
また、本実施例において導電シート部材５８は、一例としてアルミシートとして構成されている。本実施例において導電シート部材５８には、両面粘着シート（不図示）が貼り付けられている。そして、ブラシ６０が取り付けられた導電シート部材５８は、板金部材５６に両面粘着シートを介して貼り付けられている。尚、板金部材５６の端部には板金部材５６から突出する舌状片５６ａ（図６参照）が設けられている。舌状片５６ａは、除電部材４４が取付部５０を介して上部ユニット１４に取り付けられた際、上部ユニット１４に設けられた端子（不図示）と接触して接地（アース）される。つまり、除電部材４４は、上部ユニット１４に対して接地される。
【００５４】
再度、図５に戻って、除電部材４４、具体的には板金部材５６は、切換手段４８の取付部５０に両面粘着シート又は接着剤等により貼り付けられている。また、本実施例において付勢手段５４の一端は上部ユニット１４に取り付けられ、他端は取付部５０に取り付けられている。そして、付勢手段５４は取付部５０を用紙Ｐの面と交差する方向、本実施例では、用紙Ｐの面と略垂直方向において上部ユニット１４の側に付勢している。
【００５５】
また、取付部５０には、被係合部５０ａが設けられている。被係合部５０ａはカム部材５２と係合している。カム部材５２は制御部４６の制御を受けて駆動する駆動源（不図示）により駆動させられる。カム部材５２の動作に応じて切換手段４８は除電部材４４の状態を切り換える。尚、本実施例においてカム部材５２はカム軸５２ａを中心に回動する偏芯カムとして構成されている。
【００５６】
図５はカム部材５２により被係合部５０ａが搬送路２６側に押圧されている状態を示している。具体的には、カム部材５２が付勢手段５４の付勢力に抗して被係合部５０ａを押圧し、取付部５０を用紙Ｐ側に変位させた状態を除電部材４４の使用状態とする。この状態では、除電部材４４のブラシ６０の先端が用紙Ｐに接触、又は近接している。尚、ブラシ６０の先端と用紙Ｐとが近接している距離は、コロナ放電が発生する距離に設定されている。また、図５においてブラシ６０の先端は用紙Ｐに接触している状態を示している。
【００５７】
また、本実施例では、用紙Ｐの搬送方向において除電部材４４の下流側には上部ユニット１４の一部を構成する保護部６１が設けられている。本実施例において、保護部６１は画像読取装置１０の前面側において排出口２４付近に設けられている。
【００５８】
次いで、この状態からカム部材５２を図７における時計回り方向に回転駆動させると、図７に示すように取付部５０は付勢手段５４の付勢力により、用紙Ｐの面から離れる方向へ変位する。この変位に伴って、除電部材４４は用紙Ｐの面から遠ざかる方向に直線的に変位する。すなわち、除電部材４４は搬送路２６から退避する。この状態を除電部材４４の退避状態、すなわち除電部材４４の非使用状態とする。
【００５９】
また、除電部材４４が退避状態となると、用紙Ｐの搬送方向において除電部材４４は保護部６１の背面側に位置することとなる。これにより、ユーザーが誤って排出口２４から搬送路２６内に手を差し入れても、保護部６１が除電部材４４へのアクセスを妨げ、ユーザーの手が除電部材４４に誤って触れることを低減できる。
【００６０】
したがって、本実施例において除電部材４４は切換手段４８により、その使用状態（図５参照）と退避状態（図７参照）とを切換可能に構成されている。
【００６１】
＜＜＜除電部材の切換タイミングについて＞＞＞
次いで、図８を参照して除電部材４４の切換タイミングについて説明する。ステップＳ１として、ユーザーが操作部２３の給紙開始ボタンを押すと、制御部４６は、キャリブレーション実行後に、第１給送ローラー２８及び第２給送ローラー３０を回転駆動させて載置部２２に載置された用紙Ｐの搬送を開始する。
【００６２】
次いで、ステップＳ２として制御部４６は、用紙Ｐの搬送動作開始後にカム部材５２を駆動させて切換手段４８により除電部材４４を退避状態（図７参照）から使用状態（図５参照）に切り換える。
【００６３】
そして、ステップＳ３として、制御部４６は重送検出センサー２９が用紙Ｐの先端を検出したか否かを判断する。重送検出センサー２９が用紙Ｐの先端を検出しない場合、制御部４６はステップＳ４として用紙Ｐの搬送を継続する。
【００６４】
重送検出センサー２９が用紙Ｐの先端を検出した場合、制御部４６は、ステップＳ５として画像読取部３６に画像読取動作を実行させる。
【００６５】
次いで、ステップＳ６として、制御部４６は重送検出センサー２９が用紙Ｐの後端を検出したか否かを判断する。重送検出センサー２９が用紙Ｐの後端を検出しない場合、制御部４６はステップＳ７として用紙Ｐの搬送を継続する。
【００６６】
重送検出センサー２９が用紙Ｐの後端を検出した場合、制御部４６は、ステップＳ８として、除電部材４４の状態を切り換える。具体的には、制御部４６は重送検出センサー２９が用紙Ｐの後端検出後、所定時間経過後に除電部材４４を切換手段４８により使用状態（図５参照）から退避状態（図７参照）へと切り換える。尚、本実施例において所定時間は重送検出センサー２９が用紙Ｐの後端を検出してから用紙Ｐの後端が排出口２４まで搬送される時間に設定されている。
【００６７】
そして、制御部４６は、ステップＳ９として用紙Ｐの搬送動作及び画像読取動作を終了させる。尚、本実施例では、制御部４６が重送検出センサー２９等の検出信号により搬送路２６内において紙詰まり（紙ジャム）が生じた場合には、制御部４６は除電部材４４を使用状態から退避状態に切換えるように構成されている。
【００６８】
＜＜＜実施例１の変更例＞＞＞
（１）本実施例において除電部材４４の退避状態から使用状態への切換は用紙Ｐの搬送を開始すると共に行う構成としたが、少なくとも１枚目の用紙Ｐが除電部材４４の位置に到達する前に除電部材４４の状態を退避状態から使用状態へ切り換える構成であってもよい。  
（２）また、本実施例において付勢手段５４は取付部５０を上部ユニット１４側に付勢する、すなわち除電部材４４が退避状態となる側に付勢する構成としたが、この構成に代えて、取付部５０を用紙Ｐの側、すなわち除電部材４４が使用状態となる側に付勢する構成としてもよい。
【００６９】
（３）また、本実施例では、ユーザーが操作部２３を操作して用紙Ｐの搬送を開始することにより、除電部材４４の状態を切り換える構成としたが、例えば、排出トレイ１８が下部ユニット１２から引き出された場合、除電部材４４が退避状態から使用状態に切り換わり、排出トレイ１８が下部ユニット１２に収容された場合、除電部材４４が使用状態から退避状態に切り換わるように構成してもよい。尚、この構成において、装置本体１５に排出トレイ１８が引き出されたことを検出する検出センサーを設け、この検出センサーからの検出信号に基づいて除電部材４４の状態が切換えられる。あるいは、装置本体１５から排出トレイ１８が引き出される動作及び収容される動作に連動して除電部材４４の状態を切換える機械的な機構を装置本体１５に設けてもよい。  
（４）また、本実施例では、ユーザーが操作部２３を操作して用紙Ｐの搬送を開始することにより、除電部材４４の状態を切り換える構成としたが、例えば、カバー部１６が上部ユニット１４に対して閉じた姿勢から開いた姿勢に切り換わった場合、除電部材４４が退避状態から使用状態に切り換わり、カバー部１６が上部ユニット１４に対して開いた姿勢から閉じた姿勢に切り換わった場合、除電部材４４が使用状態から退避状態に切り換わるように構成してもよい。尚、この構成において、装置本体１５にカバー部１６の姿勢が切り換わったことを検出する検出センサーを設け、この検出センサーからの検出信号に基づいて除電部材４４の状態が切換えられる。あるいは、装置本体１５に対してカバー部１６の姿勢が切り換わる動作に連動して除電部材４４の状態を切換える機械的な機構を装置本体１５に設けてもよい。
【００７０】
（５）また、本実施例において重送検出センサー２９は超音波センサーとして構成したが、この構成に代えて、重送検出センサー２９を光学式、磁気式、機械式の検出センサーとして構成してもよい。  
（６）また、本実施例において除電部材４４を使用状態から退避状態へ切換える際、退避状態において除電部材４４を上部ユニット１４内に収容する構成としてもよく、また、除電部材４４を上部ユニット１４内に収容する際、ブラシ６０に気体を吹きかけてブラシ６０に付着した紙粉、ごみ等を払い落とす構成としてもよい。
【００７１】
（７）本実施例において、ブラシ６０の材質はＳＵＳ材としたが、これに代えて、ブラシ６０の材質をアクリル材、ナイロン材としてもよい。これらの材質でブラシ６０を構成する場合は、アクリル材、ナイロン材の表面に金属を蒸着させて導電性を得る構成とする。この構成では、ブラシ６０をＳＵＳ材で構成する場合に比べて、除電性が低下するので、より用紙Ｐの面に近い位置で除電する必要がある。また、アクリル材、ナイロン材はＳＵＳ材に比べて柔らかい材質であるので、用紙Ｐと接触した際の用紙Ｐの表面に傷が付くことを抑制できる。  
（８）本実施例において切換手段４８は除電部材４４を用紙Ｐの面に対して略垂直方向に遠ざかる、または近づくように変位させる構成としたが、この構成に代えて、切換手段４８は除電部材４４を用紙Ｐの面に対して交差する方向、つまり、用紙Ｐの面に対して傾斜方向に変位させる構成としてもよい。
【００７２】
（９）また、本実施例において導電シート部材５８は板金部材５６に両面粘着シートにより貼り付ける構成としたが、この構成に代えて、導電シート部材５８を板金部材５６に接着材や粘着材等により取り付ける構成としてもよい。  
（１０）また、本実施例において、ブラシ６０の複数の毛束においてその密度を所定の密度に設定したが、毛束密度を適宜変更してもよく、また、各毛束における密度をそれぞれ異なる構成とすることもできる。  
（１１）また、本実施例において、除電部材４４を使用状態のまま、用紙Ｐの搬送方向上流側に移動させて、画像読取部３６のクリーニングを実行するように構成してもよい。
【００７３】
■■■第２の実施例■■■■
次いで、図９（Ａ）及び図９（Ｂ）を参照して第２の実施例に係る切換手段６２について説明する。本実施例において、除電部材４４の切換手段をラックピニオン機構で構成した点が第１の実施例と異なる。その他の構成は第１の実施例と同じ構成である。
【００７４】
本実施例において切換手段６２は、取付部６４と、「ピニオン」としてのピニオンギヤ６６とを備えている。取付部６４にはラック６８が設けられている。ラック６８はピニオンギヤ６６と噛合している。つまり、本実施例における切換手段６２はラックピニオン機構により構成されている。また、ピニオンギヤ６６は、制御部４６（図３参照）により制御される不図示の駆動源により回転駆動されるように構成されている。
【００７５】
図９（Ａ）は除電部材４４の使用状態を示している。この状態では、ブラシ６０の先端が搬送路２６を通る用紙Ｐに近接しているので、用紙Ｐは除電部材４４により除電される。
【００７６】
そして、図９（Ｂ）に示すように制御部４６がピニオンギヤ６６を時計回り方向に回転駆動させると、ピニオンギヤ６６と噛合するラック６８がピニオンギヤ６６に対して相対移動し、取付部６４は用紙Ｐの面から遠ざかる方向、図９（Ｂ）においては用紙Ｐの面に対して略垂直方向に変位する。これにより、除電部材４４は、用紙Ｐの面から遠ざかる方向に変位して搬送路２６から退避する。すなわち、除電部材４４は退避状態となる。また、本実施例においても、退避状態となった除電部材４４は保護部６１の背面側に位置し、ユーザーが不用意に除電部材４４に触れることを抑制する。
【００７７】
逆に図９（Ｂ）に示す状態において制御部４６がピニオンギヤ６６を反時計回り方向に回転駆動させると、ラック６８が用紙Ｐの面に対して近づく方向に変位する。すなわち、除電部材４４が用紙Ｐの面に対して近づき、退避状態から使用状態へと切り換わる。従って、制御部４６はピニオンギヤ６６の回転駆動を制御することにより、除電部材４４の使用状態と退避状態とを切換えることができる。
【００７８】
＜＜＜第２の実施例の変更例＞＞＞
本実施例では、除電部材４４を用紙Ｐの面に対して略垂直方向に変位させるように構成したが、この構成に代えて、用紙Ｐの面に対して傾斜方向に変位するように構成してもよく、除電部材４４の姿勢を用紙Ｐの面に対して略垂直な姿勢から用紙Ｐの搬送方向に倣う姿勢に切換えるように構成してもよい。
【００７９】
■■■第３の実施例■■■■
次いで図１０を参照して第３の実施例に係る切換手段７０について説明する。本実施例において、除電部材４４の切換手段を揺動機構で構成した点が第１の実施例と異なる。その他の構成は第１の実施例と同じ構成である。
【００８０】
本実施例において切換手段７０は、揺動機構の一例としてロータリーソレノイド７２を備えている。本実施例においてロータリーソレノイド７２の駆動軸７２ａには除電部材４４が取り付けられている。図１０において実線で描かれている状態の除電部材４４は、使用状態を示している。尚、本実施例において除電部材４４の使用状態とは、用紙Ｐの面に対して略垂直な姿勢を取る状態である。
【００８１】
この状態で、制御部４６がロータリーソレノイド７２を駆動させて駆動軸を図１０における反時計回り方向に回転させると、除電部材４４は使用状態から、用紙Ｐの搬送方向上流側に揺動し、用紙Ｐの搬送方向に揺動する。そして、除電部材４４は、用紙Ｐの面に対して用紙Ｐの面に倣う姿勢（図１０における二点鎖線部参照）を取る。したがって、除電部材４４は搬送路２６から退避した状態となる。つまり、この状態が除電部材４４の退避状態となる。
【００８２】
本実施例において、制御部４６はロータリーソレノイド７２を駆動させることにより、除電部材４４を揺動させることができ、除電部材４４の使用状態と退避状態とを切換えることができる。
【００８３】
＜＜＜第３の実施例の変更例＞＞＞
（１）本実施例において除電部材４４の使用状態と退避状態とを揺動動作により切換える構成としてロータリーソレノイド７２を使用したが、この構成に代えて、カム部材や二安定ばね等により構成してもよく、除電部材４４の状態を揺動動作又は回転動作により切換える構成であればよい。
（２）また、本実施例では、除電部材４４を搬送方向上流側へ揺動させるように構成したが、これに代えて、搬送方向下流側、つまり保護部６１側に揺動させる構成としてもよい。また、この構成において除電部材４４が用紙Ｐの面に倣う姿勢を取る際、除電部材４４を保護部６１の底部６１ａ（図１０参照）に沿うようにしてもよい。このように構成することで、ユーザーが誤って除電部材４４に触れても、保護部６１の底部６１ａが除電部材４４の屈曲を低減し、除電部材４４の損傷を抑制できる。
【００８４】
上記説明をまとめると、媒体搬送装置の一例である画像読取装置１０は、用紙Ｐを搬送路２６に沿って搬送する第１給送ローラー２８及び第２給送ローラー３０と、第１給送ローラー２８及び第２給送ローラー３０により搬送される用紙Ｐを除電する除電部材４４とを備えている。除電部材４４が、用紙Ｐを除電する使用状態と、搬送路２６から退避することによって非使用状態となる退避状態と、を切り換え可能である。
【００８５】
上記構成によれば、除電部材４４が退避状態を取った場合、除電部材４４は搬送路２６から退避しているので、ユーザーが搬送路２６内に手を差し入れても、ユーザーの手が除電部材４４に触れる虞を低減でき、或いは、ユーザーの手が除電部材４４に触れたとしても除電部材４４の損傷を抑制できる。
【００８６】
また、媒体搬送装置である画像読取装置１０において、除電部材４４は、直線的に変位することによって、用紙Ｐの面から遠ざかり、使用状態から退避状態に切り換わる。この構成によれば、退避状態において除電部材４４は用紙Ｐの面から遠ざかっている状態なので、ユーザーが誤って除電部材４４に触れる虞をより確実に低減でき、或いは、ユーザーの手が除電部材４４に触れることによる除電部材４４の損傷をより確実に抑制できる。
【００８７】
また、媒体搬送装置である画像読取装置１０において、除電部材４４は、回転させることによって、前記媒体の面から遠ざかり、使用状態から退避状態に切り換わる。この構成によれば、除電部材４４は回転させることにより使用状態から退避状態に切り換わる。つまり、除電部材４４は用紙Ｐの面から遠ざかっている状態なので、ユーザーが搬送路２６に手を差し入れた際、ユーザーが誤って除電部材４４に触れたとしても除電部材４４に掛かる負荷を小さくでき、除電部材４４が損傷する虞を低減できる。
【００８８】
また、媒体搬送装置である画像読取装置１０において、除電部材４４は、装置の待機状態では退避状態をとり、用紙Ｐの搬送動作が開始された後、少なくとも１枚目の用紙が除電部材４４の位置に到達する前に、退避状態から使用状態に切り換わる。
【００８９】
上記構成によれば、除電部材４４は装置の待機状態では退避状態を取り、用紙Ｐの搬送動作開始後、少なくとも１枚目の用紙Ｐが除電部材４４の位置に到達する前に退避状態から使用状態に切り換わるので、除電部材４４は必要なタイミングで除電効果を発揮できる。そしてユーザーが除電部材４４に触れる虞の高い待機状態では退避状態をとるので、ユーザーが誤って除電部材４４に触れる虞を低減でき、或いは、ユーザーの手が除電部材４４に触れることによる除電部材４４の損傷を抑制できる。
【００９０】
また、媒体搬送装置である画像読取装置１０において、除電部材４４の状態切り換えを行う切換手段４８は、除電部材４４が取り付けられる取付部５０と、取付部５０を使用状態または退避状態の少なくともいずれかの方向に付勢する付勢手段５４と、取付部５０と係合するカム部材５２とを備えている。切換手段４８は、カム部材５２を動作させることにより、除電部材４４の使用状態と退避状態とを切り換える。
【００９１】
上記構成によれば、カム部材５２の動作に応じて除電部材４４の使用状態と退避状態との切換が行われるので、除電部材４４の切換のタイミング制御を容易にできる。
【００９２】
また、媒体搬送装置である画像読取装置１０において、除電部材４４の状態切り換えを行う切換手段６２は、除電部材４４が取り付けられる取付部６４と、取付部６４に設けられたラック６８と噛合してラックピニオン機構を構成するピニオンギヤ６６とを備えている。この構成によれば、切換手段６２はラックピニオン機構により除電部材４４の使用状態と退避状態とを切換えられるので、切換手段６２の構成を簡素化できる。
【００９３】
また、媒体搬送装置である画像読取装置１０において、搬送路２６が設けられた装置本体１５と、装置本体１５内に収容された状態と、装置本体１５から引き出されて装置本体１５から排出された用紙Ｐを載置する状態とを取り得る排出トレイ１８とを備えている。  
除電部材４４は、排出トレイ１８が装置本体１５内から引き出された場合、退避状態から使用状態に切り換わり、排出トレイ１８が装置本体１５内に収容された場合、使用状態から退避状態に切り換わる。
【００９４】
上記構成によれば、ユーザーが排出トレイ１８を装置本体１５に対して出し入れする動作に応じて除電部材４４の状態が切り換わる。つまり、ユーザーが装置を使用する場面に対応して除電部材４４が使用状態となるので、画像読取装置１０の利便性が向上する。
【００９５】
また、媒体搬送装置である画像読取装置１０において、搬送路２６が設けられた装置本体１５と、装置本体１５に対して閉じた姿勢と、装置本体１５に対して開いて用紙Ｐを載置可能な姿勢とを切換可能なカバー部１６とを備えている。除電部材４４は、カバー部１６を装置本体１５に対して閉じた姿勢から開いた姿勢に切換えた場合、退避状態から使用状態に切り換わり、カバー部１６を装置本体１５に対して開いた姿勢から閉じた姿勢に切換えた場合、使用状態から退避状態に切り換わる。
【００９６】
上記構成によれば、ユーザーがカバー部１６を装置本体１５に対して開閉する動作に応じて除電部材４４の状態が切り換わる。つまり、ユーザーが装置を使用する場面に対応して除電部材４４が使用状態となるので、画像読取装置１０の利便性が向上する。
【００９７】
画像読取装置１０は、搬送路２６に沿って搬送される用紙Ｐを読取可能な画像読取部３６を備えている。
【００９８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９９】
１０…画像読取装置、１２…下部ユニット、１４…上部ユニット、１５…装置本体、
１６…カバー部、１６ａ…裏面、１８…排出トレイ、２０…給送口、２２…載置部、
２３…操作部、２４…排出口、２６…搬送路、２８…第１給送ローラー、
２９…重送検出センサー、３０…第２給送ローラー、３２…分離ローラー、
３４…搬送ローラー対、３４ａ…搬送駆動ローラー、３４ｂ…搬送従動ローラー、
３６…画像読取部、３８…排出ローラー対、３８ａ…排出駆動ローラー、
３８ｂ…排出従動ローラー、４０…上部読み取りユニット、４２…下部読み取りユニット、
４４…除電部材、４６…制御部、４８、６２、７０…切換手段、５０、６４…取付部、
５０ａ…被係合部、５２…カム部材、５２ａ…カム軸、５４…付勢手段、５６…板金部材、５６ａ…舌状片、５８…導電シート部材、６０…ブラシ、６１…保護部、６１ａ…底部、
６６…ピニオンギヤ、６８…ラック、７２…ロータリーソレノイド、７２ａ…駆動軸、
Ｐ…用紙、Ｓ１、Ｓ２、Ｓ３、Ｓ４、Ｓ５、Ｓ６、Ｓ７、Ｓ８、Ｓ９…ステップ
【図１】
0006672687.tif 000002
【図２】
0006672687.tif 000003
【図３】
0006672687.tif 000004
【図４】
0006672687.tif 000005
【図５】
0006672687.tif 000006
【図６】
0006672687.tif 000007
【図７】
0006672687.tif 000008
【図８】
0006672687.tif 000009
【図９】
0006672687.tif 000010
【図１０】
0006672687.tif 000011